(57)【要約】      （修正有）【課題】簡素で、組立てが簡単で、生産コストを低下させ、ハンドルは分離できて繰り返し使用でき、破損した場合には単独取替えも可能であるため出費を抑制できる、環境保護コンセプトを有する傘を提供する。【解決手段】傘は、中棒、ハンドル、中棒とハンドルを連結するための連結部、及び、下ロクロにより構成される。下ロクロの管部は中棒に嵌設し、中棒を連結部に挿設して固定すると中棒と連結部の内側面の間に隙間が形成され、連結部をハンドルに挿入し、連結部の最低一つの第一嵌合体を押すと内側に収縮してハンドルの最低一つの第一嵌合孔に嵌合し、管部は下方にスライドして前記隙間内に進入し、下ロクロに設けた第二嵌合体は連結部に設けた第二嵌合孔に嵌合する。【選択図】図４
0003157881.tif 000002
【実用新案登録請求の範囲】
【請求項１】
中棒と、
中棒に嵌設する管部、及び管部の外周面に設置し弾性の位置回復能力を具える第二嵌合体を備える下ロクロと、
中棒に固定し、ヘッド部、ヘッド部を繞設して形成し中棒を挿入するための挿入孔、及びヘッド部に設置し挿入孔と繋がる第二嵌合孔とを備える連結部と、
連結部に連結するハンドルとにより構成され、
前記中棒とヘッド部の間には隙間を形成し、管部は下方にスライドして前記隙間に進入し、第二嵌合体は第二嵌合孔に嵌合することを特徴とする傘。
【請求項２】
前記連結部は筒部と、筒部外周面に設置し弾性の位置回復力を備えた最低一つの第一嵌合体を備え、ハンドルには、筒部を挿入するための中心孔と、中心孔に繋がり最低一つの第一嵌合体を嵌合させる最低一つの第一嵌合孔を備えることを特徴とする請求項１記載の傘。
【考案の詳細な説明】
【技術分野】
【０００１】
本考案は傘に関するもので、特に、構造が精巧で簡単、組立てが簡易、生産コストを低下させ、ハンドルはリサイクル可能で、環境保護の要求を満たし、更に、金銭節約に効果的な技術を持つ傘に係る。
【背景技術】
【０００２】
人々の環境保護意識の向上に従い、消耗品のリサイクルが要求されつつあり、傘もその内の一つである。現在市場の傘構造はまだ完全でなく、組立てにおける着脱が非常に困難であるため、廃棄処分後の傘のリサイクルは難しい。
【０００３】
図１に示す通り、公知の傘は、概ね、中棒１０の底端にハンドル２０を結合し、中棒１０自体を下ロクロ３０に可動状態で嵌入し、中棒１０の上端には上ロクロ４０を連結し、下ロクロ３０は複数の受け骨５０の内側端に連結し、上ロクロ４０は複数の親骨６０内側端に連結し、受け骨５０外側端は親骨６０の外側端に枢着し、且つ、上ロクロ４０の上方向箇所には石突７０を嵌合固定し、前記親骨６０上面には、太陽や雨を防ぐ傘布（未図示）を連結する。前記中棒１０内部の上下端にはそれぞれ圧縮して位置回復可能な上ハジキ１０１と下ハジキ１０２を備え、下ロクロ３０には定位孔３０１をあけ、下ロクロ３０によって、中棒１０は棒の上を上下スライドし、定位孔３０１が下ハジキ１０２に対応して引っ掛かると、傘を閉じて使用しない収納状態となり、上ハジキ１０１で下ロクロ３０の底端面を支えると、傘は使用する、開いた状態となる。
【０００４】
中棒１０の上下端には予め二つの凹溝を設けて、それぞれに上ハジキ１０１と下ハジキ１０２を装着しているが、上ハジキ１０１と下ハジキ１０２にそれぞれ弾性圧縮位置回復能力を持たせるため、上ハジキ１０１及び下ハジキ１０２と中棒１０の間にそれぞれ弾性部品を結合し、その構成要素が非常に多く、組立てが面倒で時間も労力も掛かり、生産コストの増加をも引き起こす。また、中棒１０とハンドル２０の両者を嵌合する接合箇所は接着剤を使って固定するため、取り外すことはできず、よって、ハンドル２０が損傷した場合は単独での取替えが不可能であり、更に新しい傘を購入しなければならず非常に無駄がある。傘を廃棄処分した後は、ハンドル２０を取り外してのリサイクルも不可能であるため、低コスト及び環境保護の要求を満たすことはできない。
【考案の概要】
【考案が解決しようとする課題】
【０００５】
本考案の目的は、中棒、中棒の下方に設置するハンドル、中棒とハンドルを連結するための連結部、中棒に嵌設する下ロクロを備える傘を提供することにある。
【課題を解決するための手段】
【０００６】
前記ハンドルは、中心孔と、中心孔を貫通する少なくとも一つの第一嵌合孔を備える。
【０００７】
前記下ロクロは、管部と、管部に設置する第二嵌合体を備える。
【０００８】
前記連結部は、筒部と、筒部の周囲に設けられた貫通孔と、筒部外側面に設置する最低一つの第一嵌合体と、筒部から上方向に突出したヘッド部と、ヘッド部を繞設して形成され貫通孔と相互に繋がる挿入孔と、ヘッド部に設置し挿入孔と繋がる第二嵌合孔とを備える。
【０００９】
前記管部は、中棒に装着し、中棒を挿入固定する連結部の貫通孔と挿入孔によって、ヘッド部と中棒の間に隙間を形成し、連結部の筒部をハンドルの中心孔に挿入すると、最低一つの第一嵌合体が対応する最低一つの第一嵌合孔に嵌入し、並びに、ヘッド部はハンドル上端面を圧して支持し、管部をスライドさせて下方向の隙間内に入れると、第二嵌合体が対応する第二嵌合孔に嵌入し、最低一つの第一嵌合体を押して内側に収縮すると、最低一つの第一嵌合孔を離脱し、ハンドルを引き抜くことが可能となる。ハンドルが破損した場合、取替えることができ、第二嵌合体を第二嵌合孔から着脱させることにより、傘を閉じたり開いたりするのをコントロールできる。
【考案の効果】
【００１０】
本考案の傘は次のような効果を有する。
（１）下ロクロの管部は可動方式で中棒に嵌設、第二嵌合体は連結部の第二嵌合孔に嵌合または離脱して、傘を閉じたり開いたりが可能となる。構成要素は精巧で簡素、組立ては簡単で、生産コストを低下させられる。
（２）傘を廃棄処分する時、連結部の最低一つの第一嵌合体を押して内側に収縮させてハンドルを引き抜け、ハンドルは再び装着してリサイクルが可能であり、ハンドルが破損した場合は、新しいハンドルへの単独取替えができ、金銭浪費を避け環境保護の要求も満たす。
【図面の簡単な説明】
【００１１】
【図１】公知の傘の側面図である。
【図２】本考案の傘に関する側面部分図である。
【図３】本考案の傘に関する別の角度からの側面部分図である。
【図４】本考案の傘に関する立体分解図である。
【図５】本考案の傘に関し、第一嵌合体が第一嵌合孔を支持している状態の組立て断面部分図である。
【図６】本考案の傘に関し、管部を隙間内に挿入した状態の別の角度からの組立て断面部分図である。
【図７】本考案の傘に関し、管部を中棒に沿って上方向にスライドさせた後の状態の組立て断面部分図である。
【図８】本考案の傘に関し、第二嵌合体が押されて第二嵌合孔を離脱した状態の組立て断面部分図である。
【考案を実施するための形態】
【００１２】
本考案の前述及びその他目的、特徴、進歩性を更に理解していただくために、次に実施例を取り上げ添付の図面を組み合わせながら詳細説明を行う。
【００１３】
まず、図２、３、４に示す通り、本考案の傘は、中棒１、ハンドル２、下ロクロ３、上ロクロ４、複数の受け骨５、複数の親骨６を備える。
【００１４】
中棒１の下方にはハンドル２を設置し、下ロクロ３は中棒１に嵌設、中棒１の上端は上ロクロ４に結合し、受け骨５の内側端に下ロクロ３を連結し、親骨６内側端に上ロクロ４を連結し、受け骨５外側端は親骨６の外側端に枢着し、親骨６上面には共通して、太陽や雨を防ぐための傘布（未図示）を連結し、上ロクロ４の上方向には石突７を結合する。改善点は次の通りである。
【００１５】
中棒１とハンドル２の間は連結部８によって繋がり、ハンドル２は最低一つの第一嵌合孔２２を備え、前記第一嵌合孔２２はハンドル２の中心孔２１に相互に貫通する。
【００１６】
連結部８は、筒部８１と、筒部８１内に形成される貫通孔８２と、筒部８１外側面に設置し弾性の位置回復能力を持つ最低一つの第一嵌合体８３と、筒部８１の周囲から上方向に突出したヘッド部８４と、ヘッド部８４を繞設して形成され貫通孔８２と相互に繋がる挿入孔８５と、ヘッド部８４に設置し挿入孔８５と繋がる第二嵌合孔８６とを備える。
【００１７】
下ロクロ３は管部３１と、管部３１外周面に設置し弾性の位置回復能力をもつ第二嵌合体３２を備える。
【００１８】
図５、６に示す通り、組立て時、管部３１は中棒１に嵌設、中棒１は連結部８の貫通孔８５と貫通孔８２に挿入し、並びに、固定部品９を貫通して固定し、続いて、連結部８の筒部８１をハンドル２の中心孔２１に挿入し、最低一つの第一嵌合体８３はハンドル２に圧せられて内側に収縮するが、第一嵌合体８３は回復する弾力を持っているため、最低一つの第一嵌合孔２２にぴったり合った時、第一嵌合体８３は即座に弾力によって位置回復し第一嵌合孔２２内に嵌合し、並びに、ヘッド部８４はハンドル２の上端面を圧して定位し、分離するハンドル２と連結部８を連結する。管部３１を下方向にスライドさせて中棒１とヘッド部８４の間に形成した隙間８７内に入れると、第二嵌合体３２がヘッド部８４に圧せられて内側に収縮するが、第二嵌合体３２が回復する弾力を有しているため、第二嵌合体３２が第二嵌合孔８６にぴったり合った時、第二嵌合体３２は即座に弾力によって位置回復し第二嵌合孔８６内に嵌合し、傘は使用しない、閉じた状態になる。
【００１９】
図７と図８に示す通り、傘を開いて使用したい場合、第二嵌合体３２を押して内側に収縮させると、第二嵌合体３２は第二嵌合孔８６を離脱する。並びに、上方向に管部３１をスライドさせると同時に、受け骨５と親骨６も連動し、傘は使用する、開かれた状態となる。また、最低一つの第一嵌合体８３を押して内側に収縮させて最低一つの第一嵌合孔２２から離脱させ、中心孔２１は筒部８１から下方向に引き抜くと、ハンドル２は連結部８から離脱するため、ハンドル２が破損した場合、単独での取替えが可能である。
【００２０】
よって、本考案は以上の構成要素から成り、公知の傘と比較すると、確実に次の進歩性が見られる。
（１）下ロクロ３の管部３１は可動方式で中棒１に嵌設、第二嵌合体３２は連結部８の第二嵌合孔８６に嵌合または離脱することで、傘を閉じたり開いたりする。構成要素は精巧で簡素、組立ては簡単で、生産コストを低下させられる。
（２）傘を廃棄処分する時、連結部８の最低一つの第一嵌合体８３を押して内側に収縮させてハンドル２を引き抜け、ハンドル２を再び装着してリサイクルができ、ハンドル２が破損した場合は、新しいハンドル２への単独取替えも可能であり、金銭浪費を避け環境保護の要求も満たす。
【００２１】
本考案について前述の通り開示したが、これは本考案を制限するものではなく、当技術に熟知する者が本考案の精神と範囲を逸脱せずに変更や修飾を加えることは可能である。よって、本考案の保護範囲は実用新案登録請求の範囲を基準とし、その合法となり得る物を含み、前述の開示に限定されないものとする。
【符号の説明】
【００２２】
１０  中棒
１０１  上ハジキ
１０２  下ハジキ
２０  ハンドル
３０  下ロクロ
３０１  定位孔
４０  上ロクロ
５０  受け骨
６０  親骨
７０  石突
１  中棒
２  ハンドル
２１  中心孔
２２  第一嵌合孔
３  下ロクロ
３１  管部
３２  第二嵌合体
４  上ロクロ
５  受け骨
６  親骨
７  石突
８  連結部
８１  筒部
８２  貫通孔
８３  第一嵌合体
８４  ヘッド部
８５  挿入孔
８６  第二嵌合孔
８７  隙間
９  固定部品
【図１】
0003157881.tif 000003
【図２】
0003157881.tif 000004
【図３】
0003157881.tif 000005
【図４】
0003157881.tif 000006
【図５】
0003157881.tif 000007
【図６】
0003157881.tif 000008
【図７】
0003157881.tif 000009
【図８】
0003157881.tif 000010